(57)【特許請求の範囲】
【請求項１】
有機ＥＬ素子により構成される矩形の面状発光部が、輝度が可変である発光ダイオードにより構成される点状発光部を挟みながら並んで光放出面側に複数配列され、
前記点状発光部は、前記面状発光部の光放出面とは異なる照射角度で光を照射し、
前記点状発光部の輝度の設定値並びに前記面状発光部の発光の設定値を示す発光態様データを記録した発光態様データ記憶部と、
前記発光態様データによって示される発光態様となるように前記面状発光部および前記点状発光部を駆動する制御部と、を含むことを特徴とする照明システム。
【請求項２】
前記点状発光部と前記面状発光部とはそれぞれフレームの光放出面側に支持され、
前記点状発光部は、前記フレームの延伸方向に対して、前記面状発光部の照射範囲とは異なる照射角度で光を照射することを特徴とする請求項１に記載の照明システム。
【請求項３】
前記面状発光部は発光色および輝度が可変であり、
前記発光態様データは前記面状発光部の発光色および輝度の設定値を含むことを特徴とする請求項２に記載の照明システム。
【請求項４】
前記面状発光部は拡散光を発し、前記点状発光部はスポット光を発することを特徴とする請求項３に記載の照明システム。
【請求項５】
前記点状発光部からの光の照射角度は可変であることを特徴とする請求項４に記載の照明システム。
【発明の詳細な説明】
【技術分野】
【０００１】
本発明は、照明システムに関し、特に輝度および発光色がそれぞれ可変である発光部を有する照明システムおよび該照明システムにおける発光制御方法に関する。
【背景技術】
【０００２】
照明装置のエネルギー効率を改善すべく、白熱球や蛍光灯に代わる光源の研究開発が進められている。最近では高輝度ＬＥＤ(発光ダイオード)などが候補のひとつとして有力視されており、実際に応用製品が商品化されている。ＬＥＤ照明は、省エネルギー化の要請の高まりに伴って一般家庭にも普及しつつある。
【０００３】
例えば、特許文献１には、料理のジャンル、時間帯、シチュエーションなどに応じて好適な照明環境を創り出すことができるダイニング用ＬＥＤ照明ユニットが記載されている。かかるＬＥＤ照明ユニットは、複数のＬＥＤを色温度ごとに一列に配列した複数のＬＥＤライン照明と、比較的狭い範囲を照射する１つ又は複数の高輝度ＬＥＤからなるＬＥＤスポット照明と、を備えている。
【０００４】
一方、有機エレクトロルミネッセンス素子（以下有機ＥＬと称する）を用いた照明も商品化が見え始めている。ＬＥＤは点状に発光するのに対して有機ＥＬは面状に発光するので、拡散板を用いることなく照明光に適した広く均一な光を得ることができるといったメリットがある。また、発光パネルが非常に薄型であり、プラスチック基板を用いることにより曲面に張り付けることも可能である。
【先行技術文献】
【特許文献】
【０００５】
【特許文献１】特開平２００９−９９３７８号公報
【発明の概要】
【発明が解決しようとする課題】
【０００６】
特許文献１に記載の照明装置によれば、ＬＥＤライン照明とＬＥＤスポット照明の点灯パターンを変化させることにより複数の照明効果を得ることが可能となる。しかしながら、各ＬＥＤライン照明における発光色は通常白色をベースとするものであり、その調色範囲は狭く、照明効果のバリエーションは限定的である。例えば、同じジャンルの料理でも、野菜を中心とした料理、魚を中心とした料理、肉を中心とした料理では、その料理が美味しく見える照明条件は異なる。またコース料理などでは、提供される料理は次々と変化する故、好適な照明条件も提供される料理に応じて経時的若しくは段階的に変化する。上記した特許文献１に記載の照明装置では、発光態様のバリエーションが限定的である故、あらゆる料理、あらゆるシチュエーションに対応した照明効果を得ることは困難である。また、提供される料理に応じて照明条件を経時的若しくは段階的に変化させるといった演出を行うことも困難である。
【０００７】
本発明はかかる点に鑑みてなされたものであり、より多彩な照明効果を得ることができる、例えば食空間の演出などに好適な照明システムを提供することを目的とする。
【課題を解決するための手段】
【０００８】
本発明に係る照明システムは、発光色および輝度が可変である発光部と、各々が前記発光部の発光色および輝度の設定値を示す複数の発光態様データを記録した発光態様データ記憶部と、制御入力に応じて前記発光態様データ記憶部から前記発光態様データを抽出し、当該抽出した発光態様データによって示される発光態様となるように前記発光部を駆動する制御部と、を含むことを特徴としている。
【０００９】
また、本発明に係る発光制御方法は、発光色および輝度が可変である発光部を含む照明システムにおける前記発光部の発光制御方法であって、制御部が制御入力を受信するステップと、前記制御部が、各々が前記発光部の発光色および輝度の設定値を示す複数の発光態様データを記録した発光態様データ記憶部から前記制御入力に応じて前記発光態様データを抽出するステップと、前記制御部が、当該抽出した発光態様データによって示される発光態様となるように前記発光部を駆動するステップと、を含むことを特徴としている。
【図面の簡単な説明】
【００１０】
【図１】本発明の実施例１に係る照明システムの構成を回路ブロック図である。
【図２】図２（ａ）は、本発明の実施例に係る発光ユニットの斜視図である。図２（ｂ）は、発光ユニットを光放出面側から見た平面図である。
【図３】図３（ａ）は、面状発光部を形成する有機ＥＬ発光素子の構成を示す平面図であり、図３（ｂ）は、図３（ａ）における３ｂ−３ｂ線に沿った断面図である。
【図４】本発明の実施例に係る発光態様データ記憶部に記録された発光態様データの一例を示すテーブルである。
【図５】本発明の実施例に係る発光態様データ記憶部に記録された発光態様データの一例を示すテーブルである。
【図６】本発明の実施例１に係る照明システムにおける発光制御の態様を示すフローチャートである。
【図７】本発明の実施例２に係る照明システムの構成を回路ブロック図である。
【図８】本発明の実施例２に係る照明システムにおける発光制御の態様を示すフローチャートである。
【図９】本発明の実施例３に係る照明システムの構成を回路ブロック図である。
【図１０】本発明の実施例３に係る照明システムにおける発光制御の態様を示すフローチャートである。
【図１１】本発明の実施例に係る発光態様データ記憶部に記録された発光態様データの一例を示すテーブルである。
【発明を実施するための形態】
【００１１】
以下、本発明の実施例について図面を参照しつつ説明する。尚、各図において、実質的に同一又は等価な構成要素、部分には同一の参照符を付している。
【実施例１】
【００１２】
図１は、本発明の実施例１に係る照明システム１の構成を示すブロック図である。図２（ａ）は、照明システム１を構成する発光ユニット１０の斜視図である。図２（ｂ）は、発光ユニット１０を光放出面側から見た平面図である。
【００１３】
照明システム１は、複数の発光部を有する発光ユニット１０と、発光ユニット１０の発光制御を行う制御部２０と、発光ユニット１０における複数の発光態様の各々を示す複数の発光態様データを記録した発光態様記録部３０と、により構成されている。
【００１４】
図２（ａ）および図２（ｂ）に示すように、発光ユニット１０は、フレーム１１と、複数の面状発光部１３と、複数の点状発光部１４とを有している。フレーム１１は、例えば、金属、プラスチック、ガラス、木材などからなり、面状発光部１３の各々および点状発光部１４の各々を支持する略長方形の板状部材である。フレーム１１は、点発光部１４を設置するための２つの貫通孔１２を有する。尚、フレーム１１の材質や形状は、上記したものに限定されるものではない。
【００１５】
面状発光部１３の各々は、輝度および発光色が可変である有機ＥＬ発光素子などの面状発光体により構成される。複数の面状発光部１３は、フレーム１１の光放出面側の表面にフレーム１１の長手方向に沿って配列されている。本実施例において、発光ユニット１０は、略長方形の６つの面状発光部１３を有するが、面状発光部の形状、配置および数量は、特に限定されるものではなく、適宜変更することが可能である。
【００１６】
図３（ａ）は、面状発光部１３としての有機ＥＬ素子の構造を示す平面図であり、図３（ｂ）は、図３（ａ）における３ｂ−３ｂ線に沿った断面図である。
【００１７】
基板１００は、光透過性を有するガラスや樹脂等からなる平板又はフィルム状部材である。複数の陽極１０２は、それぞれ帯状をなしており、基板１００上においてＹ方向に沿って伸長し、互いに一定間隔おいて並置されている。陽極１０２の各々は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）等の金属酸化物導電体、或いはＣｒ、Ｍｏ、Ｎｉ、Ｐｔ、Ａｕ等の金属、又はこれらの合金等からなる。陽極１０２の各々の表面には、陽極１０２に電源電圧を供給する為のバスライン１０４が形成されている。基板１００及び陽極１０２上には絶縁膜１０３が形成されている。絶縁膜１０３の表面には、夫々がＹ方向に伸張する開口部がストライプ状に形成されている。尚、開口部の各々は、陽極１０２各々の表面を露出させるべく絶縁膜１０３を貫通して形成されたものであり、各陽極１０２に対応した位置に夫々設けられている。尚、絶縁膜１０３の表面に複数の開口部を設けることにより、互いに隣接する開口部各々の間には、図３（ｂ）に示すように、絶縁膜１０３によるバンクが形成されることになる。各陽極１０２上において絶縁膜１０３に覆われた部分には、図３（ｂ）に示すように、陽極１０２に電源電圧を供給する為のバスライン１０４が形成されている。絶縁膜１０３の各開口部には、陽極１０２の表面を覆うように正孔注入層１０５が形成されており、かかる正孔注入層１０５の表面を覆うように正孔輸送層１０６が積層されている。正孔注入層１０５及び正孔輸送層１０６の材料としては、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。また、かかる正孔輸送層１０６の表面上には夫々がＹ方向に伸長する有機発光層１０７が図３（ａ）及び図３（ｂ）に示すように形成されている。尚、有機発光層１０７は、蛍光性有機金属化合物等で成膜されたものであり、実際には、図３（ａ）及び図３（ｂ）に示すように、赤色発光を行う有機発光層１０７Ｒ、緑色発光を行う有機発光層１０７Ｇ、及び青色発光を行う有機発光層１０７Ｂの如き３系統分の有機発光層１０７が、各正孔輸送層１０６上に形成されている。よって、有機発光層１０７Ｒが形成されている領域は赤色発光領域となり、有機発光層１０７Ｇが形成されている領域は緑色発光領域となり、有機発光層１０７Ｂが形成されている領域は青色発光領域となる。これら有機発光層１０７Ｒ、１０７Ｇ及び１０７Ｂの表面、並びに絶縁膜１０３の表面を覆うように電子輸送層１０８が形成されており、この電子輸送層１０８の表面を覆うように板状の陰極１０９が形成されている。尚、陰極１０９は、仕事関数の低い、例えば、Ａｌなどの金属またはその化合物、あるいはそれらを含む合金等からなる。
【００１８】
このように、面状発光部１３は、基板１００上においてストライプ状に繰り返し配置された赤、緑、青の光を発する発光領域を有し、その光放出面からは、赤、緑、青の光が任意の割合で混色されて単一の発光色として認識される照明光が放出される。互いに分離している複数の陽極１０２および陰極１０９の間に印加する駆動電圧を独立に制御することにより、面状発光部１３における発光色を変化させることが可能となっている。例えば、赤、緑、青の色ごとに４ビット（１６階調）を割り当てることにより、面状発光部１３の各々は、４０９６色を表現することができる。また、陽極１０２および陰極１０９を介して供給する駆動電流を制御することにより面状発光部１３における輝度を調整することが可能となっている。複数の面状発光部１３の輝度および発光色を含む発光態様は、制御部２０によってそれぞれ独立に制御される。面状発光部１３の各々は、その光放出面全体から均一な輝度および発光色の光を発し、照射範囲が比較的大きい拡散光を生成する。
【００１９】
点状発光部１４は、金属やプラスチックなどの遮光性部材からなる円筒筐体１４ａと、円筒筐体１４ａの内部に収容された複数のＬＥＤ素子（発光ダイオード）１４ｂとにより構成される。円筒筐体１４ａは、フレーム１１の貫通孔１２を貫通した状態で支持軸１４ｃを介してフレーム１１に支持されている。円筒筐体１４ａは、支持軸１４ｃを回転中心としてフレーム１１に対して回動自在となっており、これにより、ＬＥＤ素子１４ｂから発せられる光の照射方向（照射角度）が可変となっている。照射方向（照射角度）の変更は、例えば制御部２０から供給される制御信号に応じて動作するモータなどで行うこととしてもよい。ＬＥＤ素子１４ｂの輝度は、駆動電流の制御によって調整可能となっている。円筒筐体１４ａは、ＬＥＤ素子１４ｂから発せられる光の側方への拡散を妨げる。すなわち、点状発光部１４は、照射範囲が比較的小さいスポット光を生成する。本実施例において、２つの点状発光部１４が面状発光部１３の配列方向に沿って設けられている。点状発光部１４の１つはフレーム１１の端部（すなわち面状発光部１３よりも外側）に設けられ、点状発光部１４の他の１つはフレーム１１の他端部よりもやや中央寄りの位置において２つの面状発光部１３の間に設けられている。すなわち、複数の面状発光部１３および複数の点状発光部１４は、フレーム１１上において非対称配置となるように設けられている。
【００２０】
かかる構成を有する発光ユニット１０は、例えば住宅や飲食店店舗のダイニングテーブル上方の天井から吊り下げられ、ダイニングテーブル上に置かれた料理などに照明光を照射する。
【００２１】
発光態様データ記憶部３０は、発光ユニット１０において実現される複数の発光態様の各々を示す複数の発光態様データを記録したデータベースである。図４は、発光態様データ記憶部３０に記録された発光態様データの一例を示すテーブルである。発光態様データ記憶部３０には、例えば、面状発光部１３の各々における輝度および発光色の設定値、点状発光部１４の各々における輝度および照射角度の設定値が発光態様データとして記録されている。複数の発光態様データは、例えば、発光ユニット１０によって照明される照明対象物の属性に対応付けられて記録される。本実施例においては、照明対象物として料理を想定し、複数の発光態様データは、和食、洋食、中華などの料理のジャンルおよび肉料理、魚料理、野菜料理などの料理の種類に対応付けられて記録されている。発光ユニット１０において、例えば照明対象物である料理が最も美味しく見えるような発光態様若しくは照明対象物である料理に最も調和した発光態様となるように発光態様データを設定することができる。
【００２２】
図４において、輝度の数値は面状発光部１３または点状発光部１４の輝度の大きさを示し、輝度０は、非点灯を意味する。また、発光色の数値は面状発光部１３から発せられる光の色調を示す。また、照射角度の数値は、フレーム１１に対する点状発光部１４からの光の照射角度の大きさを示す。
【００２３】
尚、発光態様データは、料理の更なる詳細な分類（例えば魚料理の場合、白身魚を使用するものや赤身魚を使用するもの）、調理方法（例えば焼物、煮物、生）またはこれらの組み合わせなどに対応付けられていてもよい。また、発光態様データは、料理に限らず飲料の種類（例えばワイン、カクテルの種類）に対応付けられていてもよい。また、発光態様データは、飲食物の属性に限らず、照明対象物となるあらゆる物品のあらゆる属性（形状、模様、色、種類、形など）に対応付けることができる。また、発光態様データは、時間帯（例えば朝、昼、夜）に対応付けられていてもよい。また、発光態様データは、照明対象物の属性と時間帯との組み合わせに対応付けられていてもよい。また、発光態様データ記憶部３０には、図５（ａ）および（ｂ）に示すように発光ユニット１０における一連の発光態様の経時的または段階的変化を示す発光制御シーケンスが記録されていてもよい。すなわち、この場合、面状発光部１３の各々における輝度および発光色の設定値と、点状発光部１４の各々における輝度および照射角度の設定値を含む一連の発光態様データの各々が、当該発光態様データに基づく発光制御が行われるタイミング（時刻など）を示す時間情報または当該発光態様データに基づく発光制御が行われる順序を示す順序情報に対応けられて発光態様データ記憶部３０に記録される。発光態様データ記憶部３０には、複数の発光制御シーケンスが例えばコース料理の種類と対応付けられて記録されていてもよい。
【００２４】
制御部２０は、制御入力に基づいて発光態様データ記憶部３０に記録された発光態様データを抽出し、当該抽出した発光態様にて面状発光部１３の各々および点状発光部１４の各々を駆動する。すなわち、制御部２０は、複数の面状光源１３の輝度および発光色を独立に制御し、複数の点状光源１４の輝度および光の照射角度を独立に制御する。制御部２０に対する制御入力は、例えば制御部２０に付随する操作部に対する直接的な操作入力によって、或いは有線又は無線通信等によって制御部２０に与えることができる。また、制御入力は、ユーザの操作によってまたは外部装置によって生成されてもよい。また、制御入力は、制御部２０によって実行される制御プログラムであってもよい。
【００２５】
次に、上記した構成を有する照明システム１における発光制御の第１の態様を図６に示すフローチャートを参照しつつ説明する。以下の説明においては、発光ユニット１０がダイニングテーブルの上方に設置され、ダイニングテーブル上に置かれた料理を照明対象物として扱う場合を例示している。尚、発光態様データ記憶部３０には、図４に示されているように、複数の発光態様データが料理のジャンルおよび料理の種類に対応付けられて記録されているものとする。
【００２６】
ユーザはダイニングテーブルに運ばれてくる料理が例えば洋食である場合、リモートコントローラ（図示せず）などの入力機器を介して「洋食」を選択する。制御部２０は、赤外線通信などの無線通信によってリモートコントローラから「洋食」が選択されたことを示す制御入力を受信する（ステップＳ１）。
【００２７】
次に、制御部２０は、選択された料理のジャンル「洋食」をキーとして発光態様データ記憶部３０から対応する発光態様データを抽出する（ステップＳ２）。
【００２８】
次に、制御部２０は、抽出した発光態様データに示されている輝度および発光色となるように面状発光部１３の各々を駆動するとともに、抽出した発光態様データに示されている輝度および照射角度となるように点状発光部１４を駆動する。すなわち、制御部２０は、有機ＥＬ素子の赤、緑、青の各発光領域における電流比率および電流量を制御することにより面状発光部１３の各々の発光色および輝度を制御し、ＬＥＤ素子１４ｂの各々における電流量を制御することにより点状発光部１４の輝度を制御する。また、制御部２０は、支持軸１４ｃに連結されたモータ（図示せず）を駆動することによって点状発光部１４における光の照射角度を制御する（ステップＳ３）。これにより、発光ユニット１０は、洋食に適した発光態様の照明光を生成し、これをダイニングテーブル上に置かれた料理に向けて照射する。
【００２９】
次に、照明システム１における発光制御の第２の態様を同じく図６に示すフローチャートを参照しつつ説明する。尚、発光態様データ記憶部３０には、図５（ａ）に示されているように一連の発光態様データが時刻等の時間情報に対応付けられて記録されているものとする。
【００３０】
ユーザは例えばリモートコントローラ（図示せず）などの入力機器を介して発光態様データ記憶部３０に記録された発光制御シーケンスを開始すべき開始指令を制御部２０に送信する。制御部２０は、かかる開始指令を制御入力として受信する（ステップＳ１）。
【００３１】
次に、制御部２０は、かかる指令を契機として発光態様データ記憶部３０に記録された、時刻等の時間情報に従って発光態様データを順次抽出する。例えば、第１の発光態様データが１９時を示す時間情報に対応付けられている場合、制御部２０は、時刻１９時に第１の発光態様データを抽出する（ステップＳ２）。
【００３２】
次に、制御部２０は、抽出した発光態様データによって示される発光態様で面状発光部１３および点状発光部１４を駆動する（ステップＳ３）。制御部２０は、発光制御シーケンスが終了するまで、ステップＳ２およびステップＳ３の処理を繰り返す。これにより、発光ユニット１０は、発光制御シーケンスに従って発光態様を経時的に変化させ、ダイニングテーブルに順次運ばれてくる各料理に対応した照明光を順次生成する。
【００３３】
尚、一連の発光態様データが図５（ｂ）に示されるような順序情報に対応付けられている場合、制御部２０は、上記ステップＳ２において、制御部２０は、例えば所定期間おきに発光態様データ記憶部３０に記録された順序情報によって示される順序で発光態様データを順次抽出する。また、発光態様データが例えば、朝、昼、夜などの時間帯に対応付けられて発光態様データ記憶部３０に記録されている場合、制御部２０は、上記ステップＳ２において、現在時刻の属する時間帯に対応した発光態様データを発光態様データ記憶部３０から抽出する。また、発光態様データが、例えば朝、昼、夜などの時間帯と照明対象物の属性（例えば料理の種類など）の組み合わせに対応付けられて発光態様データ３０に記録されている場合、上記ステップＳ２において、制御入力によって示される照明対象物の属性および現在時刻の属する時間帯の双方に対応した発光態様データが発光態様データ記憶部３０から抽出される。
【００３４】
以上の説明から明らかなように、本実施例に係る発光ユニット１０は、発光色および輝度を独立に制御可能な複数の面状発光部１３を有する。面状発光部１３は、従来のＬＥＤ照明では困難であった所謂フルカラー可変発光が可能である。これにより、発光態様のバリエーションを大幅に増やすことができ、あらゆるシチュエーション、料理をはじめとするあらゆる照明対象物に最適な照明光を生成することができる。また、フルカラー可変発光によれば、照明対象物にいわば着色を施すことも可能となる。すなわち、演色性の高い照明光のみならず演出効果の高い照明光を生成することができる。
【００３５】
また、発光ユニット１０は、面状発光部１３が生成する拡散光とは異なる発光特性のスポット光を生成する点状発光部１４を更に有する故、発光態様のバリエーションを更に増すことができる。すなわち、スポット光を生成する点状発発光部１４を点灯させることにより、例えばダイニングテーブルに置かれた料理の影を強調することができる。また、点状発光部１４は、フレーム１１に対して回動自在に設けられ、光の照射角度を変えることができ、これによって影の形状をコントロールすることができる。また、２つの点状発光部１４は、フレーム１１上において非対称に配置されているので、照射角度が互いに異なる２つのスポット光を生成することができ、独特な照明効果を得ることが可能となる。
【００３６】
また、本実施例に係る照明システム１によれば、発光態様データ記憶部３０には、発光ユニット１０における複数の発光態様の各々を示す複数の発光態様データが、料理のジャンルや料理の種類など、照明対象物の属性に対応付けられて記録され、制御部２０が制御入力に応じて発光態様データを抽出して発光ユニット１０を駆動する。これにより、ユーザは、例えば、ダイニングテーブルに置かれる料理の種類を指定するなどの簡単な操作で、好適な照明効果を得ることができるので、ユーザの利便性を高めることができる。
【００３７】
また、例えば、コース料理などのように提供される料理の内容や順序が決まっている場合には、発光態様の経時的（段階的）変化を示す発光制御シーケンスを発光態様データ記憶部３０に記録しておくことにより、順次ダイニングテーブルに運ばれてくる料理に合わせて発光ユニット１０の発光態様を変化させることができる。
【００３８】
また、発光態様データを朝、昼、夜などの時間帯に対応付けて発光態様データ記憶部３０に記録しておくことにより、その時間帯に適した雰囲気の照明光を生成することができる。
【００３９】
このように、本実施例に係る照明システムによれば、従来の照明装置と比較してより多彩な照明効果を得ることができ食空間の演出に寄与することができる。
【実施例２】
【００４０】
図７は、本発明の実施例２に係る照明システム２の構成を示すブロック図である。照明システム２は、上記した実施例１に係る照明システム１の構成に加えて、識別部４０を更に有する。
【００４１】
識別部４０は、発光ユニット１０によって照明される照明対象物の形状、模様、色、種類などの属性を識別する構成部分である。識別部４０は、例えば、発光ユニット１０のフレーム１１上に固定されたカメラ等の撮像素子であってもよい。この場合、識別部４０は、発光ユニット１０の照明エリア内に置かれた照明対象物を撮影し、当該照明対象物の形状、模様、色、種類などを特定し、特定した照明対象物の属性を含む識別信号を生成し、これを制御部２０に通知する。
【００４２】
また、識別部４０は、照明対象物に付随するバーコードやＱＲコードなどの識別コードまたはＩＣタグを読み取るリーダであってもよい。照明対象物に付随する識別コードまたはＩＣタグには、当該照明対象物の形状、模様、色、種類などを示す属性データが含まれている。識別部４０は、発光ユニット１０の照明エリア内に置かれた照明対象物に付された識別コードまたはＩＣタグから属性データを読み取って当該照明対象物の形状、模様、色、種類などを特定し、特定した照明対象物の属性を含む識別信号を生成し、これを制御部２０に通知する。尚、識別部４０以外の他の構成部分は、上記した実施例１に係る照明システム１と同様であるので、それらの説明は省略する。
【００４３】
次に、上記した構成を有する照明システム２における発光制御の態様を図８に示すフローチャートを参照しつつ説明する。以下の説明においては、発光ユニット１０がダイニングテーブルの上方に設置され、ダイニングテーブル上に置かれた料理を照明対象物として扱う場合を例示している。また、発光態様データ記憶部３０には、図４に示されているように、発光ユニット１０における複数の発光態様の各々に対応する複数の発光態様データが料理のジャンルおよび料理の種類に対応付けられて記録されているものとする。
【００４４】
識別部４０が撮像素子で構成されている場合、識別部４０は、ダイニングテーブルに置かれた料理を上方から撮影し、公知のパターン認識技術などを用いて料理の種類を特定する。一方、識別部４０が上記したようなリーダで構成されている場合、識別部４０は、料理の提供の用に供される皿などに付された識別コードまたはＩＣタグに含まれる属性データを読み取って、当該料理の種類を特定する。識別部４０は、特定した料理の種類を示す識別信号を生成し、これを制御部２０に通知する（ステップＳ１１）。
【００４５】
次に、制御部２０は、受信した識別信号によって示される料理の種類をキーとして発光態様データ記憶部３０から対応する発光態様データを抽出する（ステップＳ１２）。
【００４６】
次に、制御部２０は、抽出した発光態様データに従って面状発光部１３および点状発光部１４を駆動する。すなわち、制御部２０は、有機ＥＬ素子の赤、緑、青の各発光領域における電流比率および電流量を制御することにより面状発光部１３の各々の発光色および輝度を制御し、ＬＥＤ素子１４ｂの各々における電流量を制御することにより点状発光部１４の輝度を制御する。また、制御部２０は、支持軸１４ｃに連結されたモータ（図示せず）を駆動することによって点状発光部１４からの光の照射角度を制御する（ステップＳ１３）。発光ユニット１０は、識別部４０によって識別された料理に適した発光態様の照明光を生成し、これを当該料理に向けて照射する。
【００４７】
このように、実施例２に係る照明システム２によれば、上記した実施例１に係る照明システム１と同様、多彩な照明効果を得ることができ、食空間の演出に寄与することができる。また、識別部４０が、照明対象物の属性を識別し、当該識別結果に基づいて発光ユニット１０における発光態様が選択されるので、ユーザの利便性を更に向上させることができる。
【実施例３】
【００４８】
図９は、本発明の実施例３に係る照明システム３の構成を示すブロック図である。照明システム３は、上記した実施例２に係る照明システム２の構成に加えて、目標色データ記憶部５０および色測定部６０を更に有する。
【００４９】
目標色データ記憶部５０は、照明対象物の属性毎に色データを割り当てて記録したデータベースである。例えば、照明対象物が料理である場合、当該料理が最も美味しく見える色、最も新鮮に見える色または当該料理の記憶色などを示す色データが、料理の種類と対応付けられて目標色データ記憶部５０に記録される。具体的には、目標色データ記憶部５０には、料理の種類毎に設定された色がＸＹＺ(Ｙｘｙ)表色系における座標表示などによって定量化され、当該料理の種類と対応付けられて記録されている。
【００５０】
色測定部６０は、照明対象物の色を測定して測色データを生成する構成部分である。色測定部６０は、例えば発光ユニット１０のフレーム１１上に固定された色彩計または分光測色計などにより構成される。尚、色彩計は刺激値直読法によって色測定を行う機器であり、分光測色計は分光測色法によって色測定を行う機器である。尚、色測定部６０は、識別部４０と一体的に設けられていてもよい。すなわち、識別部４０が測色機能をも有する撮像装置等により構成されている場合は別途色測定部６０を設けることを要しない。目標色データ記憶部５０および色測定部６０以外の他の構成部分は、上記した実施例２に係る照明システム２と同様であるので、それらの説明は省略する。
【００５１】
次に、上記した構成を有する照明システム３における発光制御の態様を図１０に示すフローチャートを参照しつつ説明する。以下の説明においては、発光ユニット１０がダイニングテーブルの上方に設置され、ダイニングテーブル上に置かれた料理を照明対象物として扱う場合を例示している。また、発光態様データ記憶部３０には、図４に示されているように、発光ユニット１０における複数の発光態様を示す発光態様データが料理のジャンルおよび料理の種類に対応付けられて記録されているものとする。
【００５２】
識別部４０が撮像素子で構成されている場合、識別部４０は、ダイニングテーブルに置かれた料理を上方から撮影し、公知のパターン認識技術を用いて当該料理の種類を特定する。一方、識別部４０が上記したようなリーダで構成されている場合、識別部４０は、料理の提供の用に供される皿などに付された識別コードまたはＩＣタグに含まれる属性データを読み取って、当該料理の種類を特定する。識別部４０は、特定した料理の種類を示す識別信号を生成し、これを制御部２０に通知する（ステップＳ２１）。
【００５３】
次に、制御部２０は、受信した識別信号によって示される料理の種類をキーとして発光態様データ記憶部３０から対応する発光態様データを抽出する（ステップＳ２２）。
【００５４】
次に、制御部２０は、抽出した発光態様データに従って面状発光部１３および点状発光部１４を駆動する。すなわち、制御部２０は、有機ＥＬ素子の赤、緑、青の各発光領域における電流比率および電流量を制御することにより面状発光部１３の各々の発光色および輝度を制御し、ＬＥＤ素子１４ｂの各々における電流量を制御することにより点状発光部１４の輝度を制御する。また、制御部２０は、支持軸１４ｃに連結されたモータ（図示せず）を制御することによって点状発光部１４からの光の照射角度を制御する（ステップＳ２３）。発光ユニット１０は、ダイニングテーブル上に置かれた料理に向けて照明光を照射する。
【００５５】
次に、制御部２０は、識別部４０から供給された識別信号によって示される料理の種類をキーとして目標色データ記憶部５０から対応する目標色データを抽出する。目標色データは、例えば当該料理等が最も美味しく見える色を示す色データである（ステップＳ２４）。尚、本ステップは、識別部４０が料理の種類を特定するときにこれと並行して行われてもよい。
【００５６】
次に、色測定部６０は、発光ユニット１０によって照明光が照射されたダイニングテーブル上の料理の色を測定する。色測定部６０は、測定した料理の色をＸＹＺ(Ｙｘｙ)表色系における座標表示などによって定量化してこれを側色データとして制御部２０に通知する（ステップＳ２５）。
【００５７】
次に、制御部２０は、目標色データ記憶部５０から抽出した目標色データによって示される色と測色データによって示される色の差分が最小となるように、面状発光部１３における発光色を調整する（ステップＳ２６）。
【００５８】
次に制御部２０は、ステップＳ２６において発光色を調整した後の発光ユニット１０における発光態様を示す新たな発光態様データを生成して、これを当該料理の種類と対応付けて発光態様データ記憶部３０に記録する。発光態様データ記憶部３０に記録されていた既存の発光態様データは、当該新たな発光態様データに置き換えられる（ステップＳ２７）。
【００５９】
このように、実施例３に係る照明システム３によれば、上記した各実施例に係る照明システムと同様、多彩な照明効果を得ることができ、食空間の演出に寄与することができる。また、識別部４０が、照明対象物の属性を識別し、当該識別結果に基づいて発光ユニット１０における発光態様が選択されるので、ユーザの利便性を更に向上させることができる。また、色測定部６０によって測定された照明対象物の色が目標色データ記憶部５０に記録された目標色データによって示される色と一致するように発光ユニット１０における発光態様が調整されるので、例えば、同一食材間における微妙な色の違いにも対処することができ、照明効果を一定に保つことができる。
【００６０】
尚、以上の説明においては、本発明の各実施例に係る照明システムがダイニングルームなどに設置され、ダイニングテーブル上に置かれた料理を照明する場合を例示したが、このような用途に限定されるものではない。本発明の各実施例に係る照明システムは、例えば展示スペースやショーケースなどに並べられた商品を照明する用途や、人物を照明する用途に用いることができる。すなわち、本発明の各実施例に係る照明システムによって照明される照明対象物としてあらゆるものを想定することができる。発光態様データ記憶部３０には、複数の発光態様データが照明対象物である物品や人物の属性に対応付けられて記録される。また、人物を照明する場合、例えばその人物の着衣のタイプや色またはこれらの組み合わせに応じて発光ユニットにおける発光態様を設定することとしてもよい。すなわち、この場合、発光態様データ記憶部３０には、図１１に示すように、複数の発光態様データが着衣のタイプに対応付けられて記録される。また、発光態様データは着衣のタイプの他、着衣の色、肌の露出度またはこれらの組み合わせなどに対応付けられていてもよい。着衣のタイプ、色および肌の露出度などのパラメータは、図７および図９に示される識別部４０を構成する撮像装置が照明対象である人物を撮像して画像データを生成し、公知のパターン認識技術に用いて特定される。制御部２０は特定した着衣のタイプ、色、肌の露出度に対応した発光態様データを抽出し、当該抽出した発光態様データによって示される発光態様となるように発光ユニット１０を駆動する。また、発光態様データ記憶部３０に記録された発光態様データに従って設定された面状発光部１３の各々および点状発光部１４の各々における発光色や輝度は、ユーザが事後的に調整することができるように、手動操作部が設けられていてもよい。
【符号の説明】
【００６１】
１、２、３  照明システム
１０  発光ユニット
１１  フレーム
１３  面状発光部
１４  点状発光部
２０  制御部
３０  発光態様データ記憶部
４０  識別部
５０  目標色データ記憶部
６０  色測定部
【図１】
0006010290.tif 000002
【図２】
0006010290.tif 000003
【図３】
0006010290.tif 000004
【図４】
0006010290.tif 000005
【図５】
0006010290.tif 000006
【図６】
0006010290.tif 000007
【図７】
0006010290.tif 000008
【図８】
0006010290.tif 000009
【図９】
0006010290.tif 000010
【図１０】
0006010290.tif 000011
【図１１】
0006010290.tif 000012